(57)【要約】【課題】安全且つ低コストで２４時間体制の無人受付サービスを提供する。【解決手段】本発明の無人受付システムは、通信網を介して携帯電話から信号を受信する受信手段と、受信した信号から携帯電話の固有の識別情報を抽出する抽出手段と、抽出した識別情報を記憶する記憶手段と、利用者が申し込みを行う受付領域の出入りを物理的に規制し、識別番号が抽出された場合に規制を解除する通行規制手段と、申し込みの際に利用者によって操作され、識別情報を含む申し込み情報を入力する入力手段と、  少なくとも入力された識別情報と記憶している識別情報とを照合して一致する場合に申し込みを受理する受理手段と、申し込みを受理するか否かを示す受理結果を利用者に通知する通知手段とを備える。【選択図】図６
2006185277.tif 000002
【特許請求の範囲】
【請求項１】
金融会社等における受付業務を無人店舗にて実施する無人受付システムにおいて、
通信網を介して携帯電話から信号を受信する受信手段と、
前記受信した信号から前記携帯電話の固有の識別情報を抽出する抽出手段と、
前記抽出した識別情報を記憶する記憶手段と、
利用者が申し込みを行う受付領域の出入りを物理的に規制し、前記識別番号が抽出された場合に前記規制を解除する通行規制手段と、
申し込みの際に利用者によって操作され、前記識別情報を含む申し込み情報を入力する入力手段と、
少なくとも前記入力された識別情報と前記記憶している識別情報とを照合して一致する場合に申し込みを受理する受理手段と、
申し込みを受理するか否かを示す受理結果を利用者に通知する通知手段とを備えたことを特徴とする無人受付システム。
【請求項２】
さらに、前記抽出手段が前記識別番号を抽出した後所定時間以内に前記申し込みの開始操作が前記入力手段に入力されない場合、前記入場した利用者に対して退出を勧告する警告手段を備える請求項１に記載の無人受付システム。
【請求項３】
さらに、前記通行規制手段を通過して前記受付領域からの退場を検出する退場検出手段を備え、
前記抽出手段が前記識別番号を抽出した後所定時間以内に前記退場検知手段が退場を検知した場合、前記記憶手段に記憶された前記識別情報を消去する請求項１又は２に記載の無人受付システム。
【請求項４】
さらに、前記通行規制手段を通過して前記受付領域への入場を検出する入場検知手段を備え、
前記抽出手段が前記識別番号を抽出した後所定時間以内に前記入場検知手段が入場を検知しない場合、前記記憶手段に記憶された前記識別情報を消去する請求項１乃至３に記載の無人受付システム。
【請求項５】
金融会社等における受付業務を無人店舗にて実施する無人受付システムにおいて、
通信網を介して運用監視センタ及び携帯電話と通信する通信手段と、
前記携帯電話からの受信信号から当該携帯電話の固有の識別情報を抽出する抽出手段と、
前記抽出した識別情報を記憶する識別情報記憶手段と、
前記運用監視センタの営業時間帯を記憶する時間帯記憶手段と、
利用者が申し込みを行う受付領域の出入りを物理的に規制する通行規制手段と、
申し込みの際に利用者によって操作されて申し込み情報を入力する入力手段と、
少なくとも前記入力された識別情報と前記記憶している識別情報とを照合して一致する場合に申し込みを受理する受理手段と、
申し込みを受理するか否かの受理結果を利用者に通知する通知手段とを備え、
前記営業時間帯においては、前記通行規制手段による規制を解除状態に保持し、前記申し込み情報を前記運用監視センタへ送信するとともに前記運用監視センタから当該申し込みに対する前記受理結果を受信して当該受理結果を利用者に通知し、
前記営業時間帯以外においては、前記通行規制手段による規制を施錠状態に保持し、前記携帯電話からの受信信号から前記識別情報を抽出すると前記規制を解除するとともに当該識別情報を記憶し、前記申し込み情報に含まれる識別情報が前記記憶している識別情報と一致する場合に当該申し込みを受理して前記受理結果を利用者に通知することを特徴とする無人受付システム。
【発明の詳細な説明】
【技術分野】
【０００１】
本発明は、消費者金融会社等の金融機関において、無人店舗での契約受付を行う無人受付システムに関する。
【背景技術】
【０００２】
近年、銀行や消費者金融会社等の金融会社において、契約受付業務を無人店舗で行うサービスが提供されている。このサービスは、契約担当者を配置しない小規模の無人店舗により運用可能であり、金融会社にとっては、人件費の削減や店舗数の拡大を可能とし、且つ顧客獲得の増加が期待できるといった利点がある。一方、利用者にとっても、他者との接触を避けられるため、プライバシー保護といった利点がある。このように、金融会社と利用者の双方にとってのメリットが大きく、無人契約受付サービスの需要は年々高まっている。
【０００３】
無人契約受付サービスは、運用監視センタに設置された監視端末と、複数の無人店舗に設置された契約端末と、両者を接続する通信回線を利用して提供される。運用監視センタには契約内容の審査を行うオペレータ（契約担当者）が配置されており、契約端末から送信されたデータに基づいて利用者の審査を行う。この審査は、返済能力がない利用者、個人情報を偽った悪意の利用者からの申し込みを受け付けないようにするためにある。審査に用いられるデータとしては、利用者の個人情報（氏名、住所、自宅電話番号、勤務先、収入、パスポートや運転免許証の読み取り画像）、契約端末のカメラで撮像した利用者の画像等が挙げられる。このように、契約に係る審査業務を運用監視センタが集中して担うことで、無人店舗を利用した無人契約受付サービスを提供している。
【０００４】
【特許文献１】特開平１０−２４０８１９号公報
【発明の開示】
【発明が解決しようとする課題】
【０００５】
上述したように、無人契約受付サービスにおいてもオペレータによる審査が必要であるため、サービスの営業時間は例えば９時から２０時までとなっており、２０時から９時までの閉店時間は無人店舗のへ立ち入りを禁止するように、店舗全体がスケジュール運用されている。
【０００６】
一方、利用者の利便性、金融会社の顧客獲得の面から、２４時間体制で無人契約受付サービスを提供できることが望ましい。しかし、この場合、運用監視センタを２４時間体制としなければならず、運用コストの面で不利益が生じる。
また、夜間に無人店舗を開放してしまうと、利用者の安全面において問題が生じる虞がある。さらには、窃盗、悪戯、居住行為等、契約以外の目的で無人店舗へ立ち入られる可能性もある。
このようなことが、２４時間体制での無人契約受付サービスの普及を阻む要因となっていた。
【０００７】
本発明は、上記問題を解決するためになされたものであり、安全且つ低コストで２４時間の無人契約受付を可能とした無人受付システムを提供することを目的とする。
【課題を解決するための手段】
【０００８】
上記目的を達成する本発明による無人受付システムは、通信網を介して携帯電話から信号を受信する受信手段と、受信した信号から携帯電話の固有の識別情報を抽出する抽出手段と、抽出した識別情報を記憶する記憶手段と、利用者が申し込みを行う受付領域の出入りを物理的に規制し、識別番号が抽出された場合に規制を解除する通行規制手段と、申し込みの際に利用者によって操作され、識別情報を含む申し込み情報を入力する入力手段と、  少なくとも入力された識別情報と記憶している識別情報とを照合して一致する場合に申し込みを受理する受理手段と、申し込みを受理するか否かを示す受理結果を利用者に通知する通知手段とを備えたことを特徴とする。
【０００９】
上記構成によれば、無人受付サービスの利用者は、無人店舗に入場する際に携帯電話の識別情報（電話番号、製造番号等）を通知しなければならない。また、契約申し込みを受理させるためには、入場した際に利用した携帯電話の識別情報を入力しなければならない。したがって、身元を知られたくないような悪意の利用者による入場及び契約を抑制することができる。
【００１０】
また、上記無人受付システムにおいて、さらに、抽出手段が前記識別番号を抽出した後所定時間以内に前記契約申し込みの開始操作が前記入力手段に入力されない場合、前記入場した利用者に対して退出勧告を促す警告手段を備える。
上記構成によれば、無人店舗に入場したにも拘らず契約申し込みをするための操作が検出されない場合には、入場した利用者に対して警告を発する。よって、契約申し込みの意思がない悪意の利用者が、無人店舗内に居座ったりする行為を制止することができる。
【００１１】
また、上記無人受付システムにおいて、さらに、通行規制手段を通過して受付領域からの退場を検出する退場検出手段を備え、抽出手段が識別番号を抽出した後所定時間以内に退場検知手段が退場を検知した場合、記憶手段に記憶された識別情報を消去する。
上記構成によれば、入場したものの何らかの理由で契約申し込みをせずに退場する利用者を悪意の利用者としては認識せず、次の利用者を待機するため、また、個人情報の保護のため、受付のために記憶していた携帯電話の識別番号を消去する。
【００１２】
また、上記無人受付システムにおいて、さらに、通行規制手段を通過して受付領域への入場を検出する入場検知手段を備え、抽出手段が識別番号を抽出した後所定時間以内に入場検知手段が入場を検知しない場合、記憶手段に記憶された識別情報を消去する。
また、上記構成によれば、携帯電話の識別番号が通知されたにも拘らず所定時間入場を検知しない場合は、誤った発信により通知された識別番号である可能性があるため、次の利用者を待機するため、また、個人情報の保護のため、受付のために記憶していた携帯電話の識別番号を消去する。
【００１３】
また、本発明による無人受付システムは、通信網を介して運用監視センタ及び携帯電話と通信する通信手段と、携帯電話からの受信信号から当該携帯電話の固有の識別情報を抽出する抽出手段と、抽出した識別情報を記憶する識別情報記憶手段と、運用監視センタの営業時間帯を記憶する時間帯記憶手段と、利用者が申し込みを行う受付領域の出入りを物理的に規制する通行規制手段と、申し込みの際に利用者によって操作されて申し込み情報を入力する入力手段と、少なくとも入力された識別情報と記憶している識別情報とを照合して一致する場合に申し込みを受理する受理手段と、申し込みを受理するか否かの受理結果を利用者に通知する通知手段とを備え、営業時間帯においては、通行規制手段による規制を解除状態に保持し、申し込み情報を運用監視センタへ送信するとともに運用監視センタから当該申し込みに対する受理結果を受信して当該受理結果を利用者に通知し、営業時間帯以外においては、通行規制手段による規制を施錠状態に保持し、携帯電話からの受信信号から識別情報を抽出すると規制を解除するとともに当該識別情報を記憶し、申し込み情報に含まれる識別情報が記憶している識別情報と一致する場合に当該申し込みを受理して受理結果を利用者に通知することを特徴とする。
【００１４】
上記構成によれば、運用監視センタの営業時間帯はオペレータによる審査を経て契約申し込みを受理する。一方、運用監視センタの非営業時間帯においては、オペレータによる審査ができないため、無条件に無人店舗を開放せずに入場の制限、契約申し込みの制限を利用者が所持する携帯電話の識別番号を用いて行う。よって、善意の利用者に対しては過度の制限を与えず、かつ、悪意の利用者を抑制することができ、営業時間帯及び非営業時間帯での無人受付サービスの提供が可能となる。
【発明の効果】
【００１５】
本発明によれば、不特定の人が利用する無人店舗において、店舗への出入りをフレキシブルに規制し悪意の利用者の入場を抑止することにより、安全且つ低コストで２４時間の無人契約受付サービスを提供することができる。
【発明を実施するための最良の形態】
【００１６】
以下、添付の図面を参照して、本発明の実施形態を説明する。
図１は、本発明の一実施形態に係る無人契約システム全体の構成図である。
本発明の一実施形態の無人契約受付サービスは、運用監視センタに設置された監視端末１、無人店舗に設置され、監視端末２と通信網により接続された契約端末２、契約端末２により制御されて無人店舗への出入りを規制する電気錠付き扉３、利用者が所持する携帯電話４を用いて構成される。監視端末１は、通信網を介して複数の契約端末と通信可能であり、運用監視センタに配備されたオペレータ等によって無人契約受付サービスを集中管理する。
【００１７】
本発明の一実施形態に係る無人契約システムの特徴として、日中は監視端末１、契約端末２により運用監視センタを利用した無人契約受付サービスを提供し、夜間は無人店舗の契約端末２、電気錠付き扉３、携帯電話４により運用監視センタを利用せずに無人契約受付サービスを提供する。
【００１８】
図２は、監視端末１及び契約端末２の外観の一例を示す図である。
監視端末１において、１０は契約端末２から受信した各種データを表示するＣＲＴディスプレイ等の表示部である。１２は表示内容の切り替えや審査結果等、監視端末１を操作するためのキーボード等の入力部である。１４はオペレータと利用者間で音声のやり取りを行うためのスピーカとマイクを備えたヘッドセットである。
【００１９】
また、契約端末２において、２０は操作画面を表示するためのタッチパネルディスプレイ等の表示部である。２１は申し込みに必要な利用者情報を入力するためのテンキー等の入力部である。ここで、入力部２１はタッチパネルディスプレイの操作を認識する機能を含む。２２は利用者の声を収集するマイク、２３は利用者にオペレータの指示等を音声で伝えるスピーカはである。２４は契約端末２の前面にいる利用者を撮像するカメラである。２５は写真が添付された運転免許証やパスポート等の身分証明書や、手書きの申し込み用紙等を載置し、読取操作に応じて載置された書類をスキャニングする画像読取部である。２６は申し込みが受理された場合にカードを発行するカード発行部である。
【００２０】
図３は、契約端末２についての各種機能を説明する機能ブロック図である。
契約端末２は、表示部２０、入力部２１、マイク２２、スピーカ２３、カメラ２４、画像読取部２５、カード発行部２６、電気錠付き扉３と接続され、各部と通信・制御を行う制御部２００を備える。
制御部２００において、２０２は契約端末２全体を制御するＭＰＵである。２０４は通信網を介して運用監視センタに設置された監視端末との通信を行う通信制御手段である。また、通信制御手段２０４は通信網を介して携帯電話４からの通信要求を受け、受信信号から携帯電話４の識別番号を抽出する。携帯電話４の識別番号は、例えば電話番号であり、通信制御手段２０４は、ナンバーディスプレイサービス等で公知の技術によって、受信信号から発信元電話番号を抽出する。なお、携帯電話４の識別信号としては、携帯電話４との通信により得られる製造番号を用いてもよい。また、携帯電話４を所持する利用者の操作によって送信された暗証番号を併用してもよい。
【００２１】
表示部制御手段２０６は、タッチパネルディスプレイ等の表示部２０を制御し、操作画面を表示・切り替えさせる。入力制御手段２０８は、テンキーやタッチパネルディスプレイ等の入力部２１からの入力情報を制御する。音声制御手段２１０は、マイク２２やスピーカ２３を制御する。カメラ制御手段２１２は、利用者を撮像するためのカメラ２４を制御し、動画又は静止画を撮像させる。画像読取手段２１４は、画像読取部２５を制御して載置された書類をスキャニングさせる。カード発行手段２１６は、カード発行部２６を制御する。
【００２２】
電気錠制御手段２１８は、電気錠付き扉３を制御して電気錠の施解錠を行う。また、電気錠付き扉３が備える電気錠付き扉３の開閉を検知する開閉検知センサ３ａ及び無人店舗内部にあり電気錠付き扉３を解錠する際に操作される退出ボタン３ｂの動作信号を入力する。計時手段２２０は、契約端末２の内部時計であり、タイマ機能を有する。記憶手段２２２は、各種プログラムやデータを記憶するＲＯＭ、ＲＡＭによって構成される。
【００２３】
ここで、記憶手段２２２の記憶領域について図４を用いて説明する。
記憶手段２２２の読み出し・書き出し可能なＲＡＭ領域には、運用監視センタの営業時間帯（オペレータ対応時間帯）と非営業時間帯（オペレータ非対応時間帯）が記憶される。例えば、営業時間帯として９：００〜２０：００、非営業時間帯として２０：００〜９：００を記憶する。また、ＲＡＭ領域には、入力部２１、カメラ２４、画像読取部２５から入力された入力データ（申し込みに必要な利用者の個人情報）を記憶する。入力データは、契約が完了して監視端末１に送信された後に消去される。また、ＲＡＭ領域には、通信制御手段２０４にて抽出した利用者が所持する携帯電話４の識別番号（電話番号）を一時的に記憶する。識別番号データは、後述するタイミングで消去される。
【００２４】
また、読み出しのみ可能なＲＯＭ領域には、契約端末２を動作させるための運用プログラムが記憶されている。運用プログラムは、契約受付処理に関する各制御手段の動作制御を司るプログラムであり、前述の営業時間帯、非営業時間帯において異なる。ＭＰＵ２０２は、計時手段２２０が営業時間帯である場合には電気錠制御手段２１８にて電気錠付き扉３を解錠状態に保持し、非営業時間帯である場合には施錠状態に保持し、各時間帯に対応した運用プログラムを実行する。
【００２５】
次に、本発明の一実施形態に係る無人契約システムにおける運用について詳述する。
＜営業時間帯における動作＞
まず、営業時間帯における無人契約システムの運用フロー及び契約端末２の動作ついて、図５を参照して説明する。
営業時間帯において電気錠付き扉３は解錠状態に保持され、任意の利用者が入場可能となっている。契約の申し込みをしたい利用者は、無人店舗に入場して契約端末２に対向し、表示部２０であるタッチパネルディスプレイに触れて申し込み作業を開始する。表示部２０は通常待機画面が表示されており、「申し込み開始」ボタンが表示された領域を触れることで申し込み画面に移行する。契約端末２は、入力部２１からの入力情報により申し込みの開始操作を検出し、営業時間帯用の運用プログラムに従って契約受付処理を実行する。
【００２６】
契約端末２は、利用者の開始操作を検知すると、通信制御手段２０４にて運用監視センタに設置された監視端末１に対して自己を識別するアドレスを含む接続要求信号を送信する（Ｓ６００）。監視端末１は、通信網を介して接続要求信号を受信し（Ｓ６０２）、信号に含まれるアドレスから無人店舗番号及び契約端末番号を認識すると、接続要求を受け入れる旨の応答信号を返信し（Ｓ６０４）、通信を開始する（Ｓ６０６）。契約端末２は、監視端末１からの応答信号を受信すると（Ｓ６０８）、通信を開始する（Ｓ６１０）。
【００２７】
契約端末２は、通信が確立するとカメラ２５を駆動して契約端末２の前方の映像（又は所定周期の画像）を撮像し（Ｓ６１２）、監視端末１に常時送出する。また、契約受付処理を開始すべく、基本情報の入力画面を表示部２０に表示する。利用者は、タッチパネルディスプレイやテンキー等の入力部２１を操作して、氏名、住所、自宅電話番号、勤務先、収入等の契約申し込みの基本情報を入力し、契約端末２は、入力された基本情報を入力処理する（Ｓ６１４）。
次に、契約端末２は、利用者の顔写真が添付された身分証（パスポート、運転免許証）を画像読取部２５に載置するよう促す。そして、画像読取部２５にて載置された身分証をスキャニングして画像データを生成する（Ｓ６１６）。また、契約端末２は、利用者にカメラ２４を注視するよう促し、本人確認用の利用者の顔画像（又は映像）を撮像する（Ｓ６１８）。
【００２８】
ここで、Ｓ６１４〜Ｓ６１８において取得したデータは、記憶手段２２２に入力データとして記憶される。また、利用者の操作に応じてマイク２２、スピーカ２３を起動し、運用監視センタのオペレータとの通話を可能とする。
【００２９】
必要な入力データを取得すると、利用者に内容を再度確認した上で運用監視センタへ審査要求するか否かを選択する操作画面を表示させる。利用者が審査要求を選択すると、審査要求信号とともに記憶されている入力データを監視端末１に送信し（Ｓ６２０）、審査結果の受信を待機する。一方、利用者が審査要求を拒否した場合は、記憶したデータを消去して待機画面に戻る。
【００３０】
契約端末２から審査要求が送られると、監視端末１を操作するオペレータは、受信した入力データに基づいて本人確認及び返済能力の有無等、契約条件を満たす利用者であるかを審査し（Ｓ６２２）、審査結果を契約端末２に通知する（Ｓ６２４）。
【００３１】
審査結果を受信した契約端末２は、審査結果が「契約承認」であるか「契約失敗」であるかを判別する（Ｓ６２６）。審査結果が「契約承認」であった場合は、利用者に契約受付完了を通知し（Ｓ６２６）、カード発行部２６にてカードを発行した後に契約受付処理を終了する（Ｓ６２８）。一方、審査結果が「契約失敗」であった場合は、利用者にその旨を表示して契約受付処理を終了する（Ｓ６３２）。なお、契約受付処理の終了の際に記憶手段２２２に記憶している入力データは消去する。
【００３２】
＜非営業時間帯における動作＞
次に、非営業時間帯における無人契約システムの運用ついて説明する。
従来の無人契約システムでは、運用監視センタにオペレータがいない非営業時間帯は無人契約受付サービスを提供していないが、本発明の一実施形態に係る無人契約システムによれば、非営業時間帯においても悪意の利用者による契約を受け付けず、且つ、利用者の安全を確保して無人契約受付サービスを提供することができる。
【００３３】
非営業時間帯において電気錠付き扉３は施錠状態に保持され、善意の利用者以外の入場を制限する。善意の利用者とは、真に無人店舗を利用して契約申し込みをしようとする人である。窃盗、悪戯、居住行為等の契約以外の目的を持つ人は悪意の利用者は、無人店舗への入場を規制すべき対象として扱う。
通常の出入規制を行うシステムは、利用者が所持する利用者カードのデータを読み取り、予め登録されたデータと一致した場合に入場を許可する。しかしながら、無人契約受付サービスにおいては、これから契約を申し込もうとしている利用者の個人情報を予め登録しておくことはできない。よって、不特定の人について、善意の利用者であるのか悪意の利用者であるのかを判別する必要がある。
【００３４】
上記の目的を達する本発明の一実施形態に係る無人契約システムについて、図６を参照して要点を説明する。
利用者は、施錠状態にある電気錠付き扉３を解錠すべく、所有している携帯電話４の識別番号を契約端末に通知する。契約端末２は、携帯電話４の識別番号を受信すると（Ｓ７００）、該識別番号を記憶する（Ｓ７１０）。これと同時に、電気錠付き扉３の電気錠を一時解錠する（Ｓ７２０）。利用者は、無人店舗に入り契約端末２を操作し、契約申し込みに必要な事項とともに携帯電話４の識別番号を入力する（Ｓ７３０）。契約端末２は、入力された識別番号と記憶している識別番号とを照合し（Ｓ７４０）、一致した場合に当該申し込みを受理する（Ｓ７５０）。申し込みを受理した後、カードを発行する（Ｓ７６０）。
【００３５】
上述のように、携帯電話４固有の識別番号を通知することにより無人店舗への入場を可能とし、この識別番号を契約締結の条件として利用する。したがって、携帯電話の識別番号（電話番号等）を通知したくないと考える悪意の利用者に対し、無人店舗への入場を抑制するとともに、契約申し込みをさせないようにすることができる。
【００３６】
図７を参照し、非営業時間帯における無人契約システムの運用フロー及び契約端末２の動作ついて詳細に説明する。なお、本実施形態では携帯電話の識別番号として電話番号を用いることとする。
非営業時間帯において、電気錠付き扉３は施錠状態に保持され、利用者の入場を制限している。契約の申し込みをしたい利用者は、所有する携帯電話４を用いて無人店舗に設置された契約端末２に対して発信する。契約端末２の連絡先は、無人店舗の出入口付近に記載しておけばよい。契約端末２は、携帯端末４からの着信を検出し、非営業時間帯用の運用プログラムに従って契約受付処理を実行する。
【００３７】
契約端末２は、着信を検出すると着信信号に含まれる発信元電話番号を抽出する（Ｓ８００）。電話番号が抽出できない場合、つまり携帯電話４が電話番号非通知に設定されていて着信信号に発信元電話番号が含まれていない場合は、電気錠付き扉３を施錠状態に保ち利用者を入場させない。また、電話番号通知設定にして再度発信するようにアナウンスして通信を切断する（Ｓ８０２）。
Ｓ８００で発信元電話番号が抽出された場合は、抽出した電話番号を記憶手段２２２に識別番号データとして記憶し（Ｓ８０４）、電気錠制御手段２１８にて電気錠付き扉３を一時的に解錠させる（Ｓ８０６）。
【００３８】
利用者は、無人店舗に入場して契約端末２に対向し、表示部２０であるタッチパネルディスプレイに触れて申し込み作業を開始する。表示部２０は通常待機画面が表示されており、利用者が「申し込み開始」ボタンが表示された領域に触れたことを入力制御手段２０８で検知すると、申し込み作業の開始操作として認識して申し込み画面に移行する（Ｓ８０８）。
ここで、営業時間帯においては運用監視センタの監視端末１と通信を開始していたが、非営業時間帯においては運用監視センタにオペレータがいないため通信は行わない。
【００３９】
続いて、基本情報入力処理（Ｓ８１０）、画像読取処理（Ｓ８１２）、撮像処理（Ｓ８１４）を施し、取得したデータを記憶手段２２２に入力データとして記憶する。これらの処理については、営業時間帯における処理（図５のＳ６１４〜６１８）と同様であるため説明は省略する。
契約端末２は、契約申し込みに必要なデータを取得した後、携帯電話４の電話番号を入力するように利用者に指示し、利用者がテンキー又はタッチパネルディスプレイにて入力したデータを入力処理する（Ｓ８１６）。
【００４０】
次に、契約端末２は、記憶手段２２２に識別番号データとして記憶した電話番号と入力された電話番号が一致しているかを判定し（Ｓ８１８）、一致した場合に契約申し込みを受理する。そして、契約完了を示す情報、記憶している識別番号データ、入力データ等を運用監視センタの監視端末１へ送信する（Ｓ８２０）。送信が完了すると、利用者に契約受付完了を通知し（Ｓ８２２）、カード発行部２６にてカードを発行した後に契約受付処理を終了する（Ｓ８２４）。
一方、数回のリトライ入力を経ても電話番号が一致しなかった場合は、善意の利用者として認定することはできないため、契約不成立を示す情報、記憶している識別番号データ、入力データ等を監視端末１へ送信する（Ｓ８２６）。送信が完了すると、表示部２０に契約受付を失敗した旨を表示した後に契約受け付け処理を終了する（Ｓ８２８）。なお、契約終了の際に記憶手段２２２に記憶している入力データ、識別番号データは消去する。
【００４１】
以上のように、本実施形態の無人契約システムによれば、所有している携帯電話４の識別番号を知られることを拒む悪意の利用者による無人店舗への入場、契約の締結を抑制することができ、夜間（非営業時間帯）であっても無人契約受付サービスを提供することができる。
【００４２】
なお、非営業時間帯において発行されたカードは、実際にはオペレータによる審査を受けていいないため、運用監視センタにおいては仮発行状態として登録しておき、審査を経るまでは使用不可とするか、使用限度額を低額に設定しておくとよい。この場合、オペレータは受信データに含まれる携帯電話４の電話番号に連絡し、利用者に審査結果をスムーズに通知することができる。
【００４３】
また、本実施形態の無人契約システムは、上述した契約受付処理に加え、契約以外の目的で無人店舗に入場した悪意の利用者に対抗すべく、入場したにも拘らず契約申し込みを行っていない利用者に対して無人店舗からの退出を勧告し、警備センタ等へ通報する機能（滞留者検知機能）を備える。
【００４４】
図８を参照して、滞留者検知機能について詳細に説明する。
非営業時間帯において、着信した携帯電話４の電話番号を抽出して記憶し、電気錠付き扉３を解錠したとする（図７のＳ８００〜Ｓ８０６）。このとき、契約端末２は、計時手段２２０にて計時を開始する。そして、所定時間Ｔ１（３０秒程度）を計時するまでの間、電気錠付き扉３が備える開閉検知センサ３ａにて利用者の入場をチェックする（Ｓ９００、Ｓ９０２）。開閉検知センサ３ａが入場を検知せずに所定時間Ｔ１が経過した場合（Ｓ９００−Ｙ）は、計時手段を停止させる（Ｓ９０４）。また、発信元の携帯電話４を所持する人は無人店舗を利用する意思がないとして、記憶手段２２２に記憶した電話番号を消去するとともに図７に示した契約受付処理を終了させる（Ｓ９０６）。
【００４５】
所定時間Ｔ１を計時するまでに利用者が入場した場合（Ｓ９０２−Ｙ）、次に、所定時間Ｔ２（＞Ｔ１：３〜１０分程度）を計時するまでに、電気錠付き扉３が備える退出ボタン３ｂが操作されることにより退出を検知するか、申し込み開始の操作が入力されるかをチェックする（Ｓ９０８、Ｓ９１０、Ｓ９１２）。
所定時間Ｔ２が経過するまでに利用者の退出を検知した場合（Ｓ９０８−Ｙ）、入場した利用者は契約申し込みをする意思がないと認識して、上記と同様にＳ９０４〜Ｓ９０６を経て終了する。
【００４６】
また、所定時間Ｔ２を計時するまでに申し込みの開始操作が検出された場合（Ｓ９１０−Ｙ）は、入場した利用者は契約申し込みの意思があると認識して、記憶手段２２２に記憶した電話番号を保持したまま、計時手段を停止して終了する（Ｓ９１４）。
【００４７】
また、所定時間Ｔ２を計時するまでに利用者の退出が検出されず、かつ、申し込みの開始操作が検出されなかった場合（Ｓ９１２−Ｙ）は、入場した利用者は契約以外の目的（窃盗、悪戯、居住行為等）を持つ悪意の利用者であると認識して、通信制御手段に２０４にて警備センタ等の所定の通報先に通報する（Ｓ９１６）。また、表示部２０、スピーカ２３を起動し、警備センタへ通報している旨を報知する等、利用者に対して無人店舗からの退去勧告を行う（Ｓ９１８）。このとき、マイク２２、カメラ２４を起動して無人店舗内の音声及び映像を記録するのが好ましい。
【００４８】
以上のように、本実施形態の無人契約システムによれば、不特定の人に対する無人店舗への入場をフレキシブルに規制することができるため、夜間（非営業時間帯）であっても安全に無人契約受付サービスを提供することができる。つまり、真に契約申し込みを行おうとする善意の利用者に影響を与えずに、契約以外の目的を持った悪意の利用者を抑制することができる。
【００４９】
なお、本発明における無人契約システムの別の実施形態として、従来から利用されている契約端末とは別に警備装置等の副装置を設け、上述した非営業時間帯に特有の機能を副装置に備えるように構成してもよい。これにより、無人店舗に設置された既存の契約端末を利用して非営業時間帯における無人契約受付サービスが提供できる。
この場合、副装置に、携帯電話からの信号を受信して識別番号を抽出する通信制御手段２０４に相当する機能、電気錠付き扉３を制御する電気錠制御手段２１８に相当する機能、営業時間帯、非営業時間帯における運用プログラムや抽出した識別番号を記憶する記憶手段２２２に相当する機能、契約端末と通信する機能を備えるとともに、契約端末に入力された識別番号を受信して記憶している識別番号と照合し、照合結果を契約端末に送信する機能を持たせることで実現することができる。
【００５０】
また、上記実施形態においては、運用監視センタの営業時間帯と非営業時間帯とで異なる運用によって無人契約受付サービスを提供していたが、２４時間体制で上述した非営業時間帯の運用によって無人契約受付サービスを提供するように本発明の無人契約システムを構成することもできる。
【図面の簡単な説明】
【００５１】
【図１】本発明の一実施形態に係る無人契約システム全体の構成図である。
【図２】監視端末１及び契約端末２の外観の一例を示す図である。
【図３】契約端末２についての各種機能を示す機能ブロック図である。
【図４】記憶手段２２２の記憶領域について示す図である。
【図５】営業時間帯における無人契約システムの運用フロー及び契約端末２の動作を示す図である。
【図６】非営業時間帯における無人契約システムの主要動作を示す図である。
【図７】非営業時間帯における無人契約システムの運用フロー及び契約端末２の動作を示す図である。
【図８】非営業時間帯における滞留者検知処理を示す図である。
【符号の説明】
【００５２】
１…監視端末
１０…表示部
１２…入力部
１４…ヘッドセット
２…契約端末
２０…表示部
２１…入力部
２２…マイク
２３…スピーカ
２４…カメラ
２５…画像読取部
２６…カード発行部
２００…制御部
２０２…ＭＰＵ
２０４…通信制御手段
２０６…表示制御手段
２０８…入力制御手段
２１０…音声制御手段
２１２…カメラ制御手段
２１４…画像読取制御手段
２１６…カード発行制御手段
２１８…電気錠制御手段
２２０…計時手段
２２２…記憶手段
【図１】
2006185277.tif 000003
【図２】
2006185277.tif 000004
【図３】
2006185277.tif 000005
【図４】
2006185277.tif 000006
【図５】
2006185277.tif 000007
【図６】
2006185277.tif 000008
【図７】
2006185277.tif 000009
【図８】
2006185277.tif 000010